(57)【要約】【課題】測定者が被検眼と眼科装置との位置関係を容易かつ確実に認識できるようにする。【解決手段】被験者の顔を支持する支持部１５０と、被検眼Ｅに近接して配置される測定ヘッド９を備える装置本体４と、装置本体４を支持部に対して相対的に移動するノンコンタクトトノメータＳである。ノンコンタクトトノメータＳは、装置本体４と一体となって移動すると共に被検眼Ｅの少なくとも一部、及び測定ヘッド９の少なくとも一部を同時に撮像する撮像装置４０と、撮像装置４０が撮影した画像を表示するモニタ６とを装置本体４に備える。【選択図】図２
2018038518.tif 000002
【特許請求の範囲】
【請求項１】
被験者の顔を支持する支持部と、
被検眼に近接して配置される眼球近接部を備える装置本体と、
前記装置本体を前記支持部に対して相対的に移動する駆動手段と、
を備える眼科装置において、
前記装置本体と一体となって移動すると共に前記被検眼の少なくとも一部、及び前記眼球近接部の少なくとも一部を同時に撮像する撮影手段と、
前記撮影手段が撮影した画像を表示する表示手段と、
を備えることを特徴とする眼科装置。
【請求項２】
前記撮影手段は、前記眼球近接部の下方から前記眼球近接部及び前記被検眼を撮影可能な位置に配置されていることを特徴とする請求項１に記載の眼科装置。
【請求項３】
前記表示手段は前記装置本体の測定者側に取付けられていることを特徴とする請求項１又は請求項２に記載の眼科装置。
【請求項４】
前記表示手段には、前記眼球近接部からの距離を表す目盛り線が画像に重畳して表示されていることを特徴とする請求項１から請求項３までのいずれか一項に記載の眼科装置。
【請求項５】
前記表示手段には、前記被検眼を正面から撮影した前眼部画像と前記眼球近接部の画像とが同時に表示されることを特徴とする請求項１から請求項４までのいずれか一項に記載の眼科装置。
【請求項６】
前記撮影手段は、前記装置本体に配置された他の機能を備える眼科装置の撮影部であることを特徴とする請求項１から請求項５までのいずれか一項に記載の眼科装置。
【請求項７】
前記他の眼科装置の前記撮影手段の撮影方向を変更して、前記撮影手段により前記眼球近接部及び前記被検眼を撮影可能する撮影方向変更手段を備えることを特徴とする請求項１から請求項６までのいずれか一項に記載の眼科装置。
【請求項８】
前記眼科装置が、ノンコンタクトトノメータ、レフラクトメータ、ケラトメータ、スペキュラーマイクロスコープ、又はウェーブフロントアナライザのいずれかであることを特徴とする請求項１から請求項５までのいずれか一項に記載の眼科装置。
【請求項９】
前記眼科装置がノンコンタクトトノメータであることを特徴とする請求項６又は請求項７に記載の眼科装置。
【発明の詳細な説明】
【技術分野】
【０００１】
本発明は、支持部で被験者の顔部を支持し、検査ヘッドの先端部を被検眼に近接してアライメントする眼科装置に関する。
【背景技術】
【０００２】
上述した眼科装置として、ノンコンタクトトノメータ（非接触型眼圧計）がある。このノンコンタクトトノメータは、は被検眼に近接して配置した測定ヘッドから流体（空気）を吹き付け、この吹き付けによる角膜の形状の変化を光学的に検出することで、被検眼の眼圧を測定する。このようなノンコンタクトトノメータにあっては、眼圧測定の際、流体を噴射するノズルの先端部を被検眼に近接させるに際し、アライメントも厳密に行われる。アライメントしては、測定ヘッドを上下左右方向であるＸＹ方向に移動してＸＹアライメントと、測定ヘッドを前後方向であるＺ方向に移動して被検眼Ｅに対する位置調整であるＺアライメントとがある。
【０００３】
一般的な眼科装置において、測定者がアライメントを行うとき、測定者はモニタ上に映し出された被検眼前眼部の画像や、これに重畳して表示されるアライメント用の指標を基に行う。しかし、一般的にアライメントモニタは装置を挟んで被検者と反対の位置に設置されているため、測定者は姿勢を変えずに被検者の顔を直接観察することはできない。
【０００４】
アライメント中にモニタ上で確認可能な画像は一般的に被検者の前眼部を正面から撮影した画像である。このため、Ｚ方向の情報は画面のピント（ボケ具合）か、機器が検出したＺ距離情報指標から得ることになる。しかし、このようなピントについての情報（前ピンｏｒ後ピン）だけでは前後の判断が正確にできない。また、指標の表示もＺセンサによる角膜表面の反射光により検出しているため、角膜表面に疾患があり、正反射が戻らないような被検眼の場合はＺ検出ができず、指標の表示もできない。
【０００５】
更に、ＸＹ方向のアライメントが大きくずれている場合や、そもそも前眼部観察系に被検者の前眼部が映っていない場合は前後方向の判断はできない。この状態でアライメント動作を継続した場合、被検者の顔や眼に装置の前端部を接触させてしまうおそれがある。
【０００６】
このような場合、測定者は体勢を大きく移動して側面から被検者と装置の位置関係を目視することが行われる。しかし、最終的なアライメントはモニタ上で確認する必要があるため、交互に姿勢を変えて確認することは測定者にとって負担であり、また測定に時間がかかることで被検者に対しても負担となっていた。
【０００７】
従来、被検眼を軸外から撮影してモニタに角膜像を表示する技術として、特許文献１〜３に記載の眼科装置がある。
【先行技術文献】
【特許文献】
【０００８】
【特許文献１】特開２００９−２０１６３５号公報
【特許文献２】特開２０１３−０９０８７０号公報
【特許文献３】特開２０１３−０９０８６９号公報
【発明の概要】
【発明が解決しようとする課題】
【０００９】
しかし、特許文献１〜３に記載の技術にあっては、被検眼角膜にスリット光を照射し、角膜による散乱光を下方からカメラで観察し、角膜の断面画像を取得して角膜厚を計測したり、この断層像の頂点に対してアライメントをしたりするものであり、角膜断面を高精度で観察するため、角膜のみが観察可能な倍率に設定されている。このため、アライメント途中の状態を確認することはできない。
【００１０】
本発明は、上記課題に鑑みたものであり、測定者が被検眼と眼科装置との位置関係を容易かつ確実に認識することができる眼科装置を提供することを課題とする。
【課題を解決するための手段】
【００１１】
前記課題を解決する請求項１に記載の発明は、被験者の顔を支持する支持部と、前記被検眼に近接して配置される眼球近接部を備える装置本体と、前記装置本体を前記支持部に対して相対的に移動する駆動手段と、を備える眼科装置において、前記装置本体と一体となって移動すると共に前記被検眼の少なくとも一部、及び前記眼球近接部の少なくとも一部を同時に撮像する撮影手段と、前記撮影手段が撮影した画像を表示する表示手段と、を備えることを特徴とする。
【００１２】
同じく請求項２に記載の発明は、請求項１に記載の眼科装置において、前記撮影手段は、前記眼球近接部の下方から前記眼球近接部及び被検眼を撮影可能な位置に配置されていることを特徴とする。
【００１３】
同じく請求項３に記載の発明は、請求項１又は請求項２に記載の眼科装置において、前記表示手段は前記装置本体の測定者側に取付けられていることを特徴とする。
【００１４】
同じく請求項４に記載の発明は、請求項１から請求項３までのいずれか一項に記載の眼科装置において、前記表示手段には、前記眼球近接部からの距離を表す目盛り線が画像に重畳して表示されていることを特徴とする。
【００１５】
同じく請求項５に記載の発明は、請求項１から請求項４までのいずれか一項に記載の眼科装置において前記表示手段には、前記被検眼を正面から撮影した前眼部画像と前記眼球近接部の画像とが同時に表示されることを特徴とする。
【００１６】
同じく請求項６に記載の発明は、請求項１から請求項５までのいずれか一項に記載の眼科装置において、前記撮像装置は、前記装置本体に配置された他の機能を備える眼科装置の撮影手段であることを特徴とする。
【００１７】
同じく請求項７に記載の発明は、請求項１から請求項６までのいずれかに記載の眼科装置において、前記他の眼科装置の前記撮影手段の撮影方向を変更して、前記撮影手段により前記眼球近接部及び前記被検眼を撮影可能する撮影方向変更手段を備えることを特徴とする。
【００１８】
同じく請求項８に記載の発明は、請求項１から請求項５までのいずれか一項に記載の眼科装置において、前記眼科装置が、ノンコンタクトトノメータ、レフラクトメータ、ケラトメータ、スペキュラーマイクロスコープ、又はウェーブフロントアナライザのいずれかであることを特徴とする。
【００１９】
同じく請求項９に記載の発明は、請求項６又は請求項７に記載の眼科装置において、前記眼科装置がノンコンタクトトノメータであることを特徴とする
【発明の効果】
【００２０】
本発明によれば、測定者が被検眼と眼科装置との位置関係を容易かつ確実に認識することができる。
【００２１】
即ち、請求項１に記載の眼科装置によれば、撮影手段で撮影された被検眼の少なくとも一部、及び眼球近接部の少なくとも一部が表示手段に表示されるので、測定者は眼球近接部と被検眼との間隔を視認でき、被検眼と眼科装置との位置関係を容易かつ確実に認識することができる。
【００２２】
また、請求項２に記載の眼科装置によれば、被検眼と眼球近接部とは下方から撮影されるので、被検眼や眼球近接部が睫毛や鼻等に隠されることがなく、確実に撮影される。
【００２３】
また、請求項３に記載の眼科装置によれば、表示手段は装置の測定者側に取付けられているので、測定者は操作中に表示手段を観察することができ、被検眼と眼科装置との位置関係を容易かつ確実に認識することができる。
【００２４】
また、請求項４に記載の眼科装置によれば、表示部には、前記眼球近接部からの距離を表す目盛り線が画像に重畳して表示されているので、測定者は、被検眼と眼球近接部との距離を認識できる。
【００２５】
また、請求項５に記載の眼科装置によれば、表示手段には、前記被検眼の正面から撮影した前眼部画像と前記眼球近接部の画像が同時に表示されているので、アライメント操作時において被検眼眼球と眼球近接部の近接状態を同時に確認しつつ、アライメント操作を行うことができる。
【００２６】
また、請求項６に記載の眼科装置によれば、撮影手段が装置本体に配置された他の機能を備える眼科装置の撮影部により実現されるので、複合機能を備える眼科装置において追加の撮影手段を加えることなく、被検眼と眼科装置との位置関係を容易かつ確実に認識することができる。
【００２７】
また、請求項７に記載の眼科装置によれば、眼球近接部及び被検眼は、撮影方向変更手段で撮影方向が変更された他の機能を備える眼科装置の撮影手段で撮影可能とされる。
【００２８】
また、請求項８に記載の眼科装置によれば、ノンコンタクトトノメータ、レフラクトメータ、ケラトメータ、スペキュラーマイクロスコープ、又はウェーブフロントアナライザにおいて、測定者が被検眼と眼科装置との位置関係を容易かつ確実に認識することができる。
【００２９】
そして、請求項９に記載の眼科装置によれば、ノンコンタクトトノメータと他の機能を備える眼科装置とを備える複合型の眼科装置において、測定者が被検眼と眼科装置との位置関係を容易かつ確実に認識することができる。
【図面の簡単な説明】
【００３０】
【図１】本発明の実施形態に係る眼科装置の外観を示すものであり、（ａ）は正面図、（ｂ）は使用状態を示す側面図である。
【図２】同眼科装置の内部構成を示す模式図である。
【図３】同眼科装置の撮像装置の配置状態を示す模式図である。
【図４】同眼科装置における表示画像を示すものであり、（ａ）はモニタの表示画面を示す模式図、（ｂ）は角膜と眼球近接部との拡大画像である。
【図５】本発明の第２実施形態に係る眼科装置を示す模式図である。
【図６】本発明の第３実施形態に係る眼科装置を示す模式図である。
【発明を実施するための形態】
【００３１】
本発明を実施するための形態に係る眼科装置について説明する。本発明は、任意の眼科測定装置、任意の眼科撮影装置又は任意の複合機に適用することができる。眼科測定装置としては、レフラクトメータ、ケラトメータ、スペキュラーマイクロスコープ、眼圧計などがある。眼科撮影装置の例としては、ＯＣＴ装置、眼底カメラ、ＳＬＯなどがある。
【００３２】
以下実施形態に係る眼科装置としてノンコンタクトトノメータ（非接触式眼圧計）について説明する。図１は本発明の実施形態に係る眼科装置の外観を示すものであり、（ａ）は正面図、（ｂ）は使用状態を示す側面図である。ノンコンタクトトノメータＳは、装置ベース２と、架台３と、装置本体４とを備えている。装置ベース２は、被検者の顔部ＨＢを支持する支持部１を有する。
【００３３】
架台３は、装置ベース２に対して前後方向、左右方向に駆動可能に設けられている。なお、前後方向（被検眼Ｅの軸、ノンコンタクトトノメータＳの光軸に沿う方向）を矢印Ｚ、光軸に直行する左右方向を矢印Ｘ、上下方向を矢印Ｙで示している。
【００３４】
装置本体４は、架台３の上部に設けられ、内部の駆動手段及び駆動機構の作動で、架台
３に対し、前後方向、左右方向、上下方向に移動できる。これにより、装置本体４をＸＹ方向、及びＺ方向に移動して、気流吹付ノズル８を被検眼Ｅに対してアライメントする。アライメントの手順は、公知の手法による。また、架台３と装置本体４は一体となり、操作ノブ５の操作により移動する構造でもよい。
【００３５】
架台３には、操作ボタン５ａを有する操作ノブ５と、表示部であるモニタ６などが設けられている。操作ノブ５は、測定者により操作され、これにより架台３が前後左右に移動され操作ノブ５を操作ノブ５の軸周りで回転することにより装置本体４を上下に移動される。また、装置本体４の前面には、被検者の被検眼Ｅと対向するように前眼部窓ガラス１２（図２参照）を通して気流吹付ノズル８が設けられている。気流吹付ノズル８は、装置本体４から被検者側に突出した眼球近接部である測定ヘッド９から先端を被検者に向けて配置される。
【００３６】
本実施形態において、装置本体４には、撮影手段である撮像装置４０が配置される。この撮像装置４０は、気流吹付ノズル８の下方に撮影軸を斜め上方に向けて配置され、測定ヘッド９の一部である先端部と被検眼Ｅの角膜の頂点付近を撮影する。撮像装置４０は、動画としてリアルタイムの画像データを出力する。
【００３７】
図２は同眼科装置の内部構成を示す模式図である。装置本体４には、空気チャンバー１１、測定光学系１０、赤外光投影系２０、前眼部撮影系２７、固視光学系３０が配置されている。また、本実施形態では、装置本体４には、上述した撮像装置４０が配置されている。
【００３８】
空気チャンバー１１には、空気圧縮装置から空気が送出され、送出された空気は気流吹付ノズル８から被検眼Ｅに向け噴出される。なお、図中符号１２は前眼部窓ガラス、符号１３、１４は空気チャンバー１１の前後側を覆うチャンバーガラスを示している。
【００３９】
空気チャンバー１１には、気流吹付ノズル８が配置され、測定光学系１０、前眼部撮影系２７、赤外光投影系２０、及び固視光学系３０の光軸は、気流吹付ノズル８中に配置される。眼圧測定用の測定光学系１０は、第１ダイクロイックミラー１５、結像レンズ１６、ピンホール１８、圧平センサ１７を備える。また、赤外光投影系２０は、赤外光源２１、絞り２２を備える。更に、前眼部撮影系２７は、結像レンズ２８、前眼部エリアセンサ２９を備える。この前眼部撮影系２７は、前眼部窓ガラス１２、チャンバーガラス１３を介して被検眼Ｅの前眼部を撮像する。測定光学系１０と前眼部撮影系２７とは第３ダイクロイックミラー２６で結合されている。
【００４０】
更に、固視光学系３０は、可視光、この例では緑色の可視光源３１、絞り３２を備える。赤外光投影系２０と固視光学系３０とは第２ダイクロイックミラー２４で結合される。赤外光源２１、可視光源３１からの光束は、コリメータレンズ２５で平行光とされ、第１ダイクロイックミラー１５に導かれ、空気チャンバー１１から気流吹付ノズル８を経て被検眼Ｅに照射される。
【００４１】
本実施形態では、測定ヘッド９の近傍に配置した前眼部照明光源（図示していない）からの赤外光で被検眼Ｅを照明して、前眼部エリアセンサ２９で被検眼Ｅの画像を検出して概略のアライメントを行う他、赤外光源２１の角膜反射像を前眼部エリアセンサ２９で撮像し、反射像の位置から精密なアライメントを行う。眼圧測定時には赤外光源２１からの光束の被検眼Ｅの角膜反射光を圧平センサ１７で検出しつつ気流吹付ノズル８から被検眼Ｅに空気を噴出する。角膜の変形に伴う反射光量の変化を圧平センサ１７で検出し、眼圧を測定する。また、固視光学系３０は、被検眼Ｅの固定視準となる固視輝点を投影する。
【００４２】
ここで、前眼部像は、前眼部窓ガラス１２、チャンバーガラス１３、１４、第１ダイクロイックミラー１５、結像レンズ１６、結像レンズ２８を透過して前眼部エリアセンサ２９で撮像され、モニタ６上に表示される。測定者はモニタ６で被検者の前眼部画像を観察しつつ概略のアライメントを実施する。この際、瞳孔の中心が画面の中央にくるよう、かつピントが合うようにアライメントを調整する。アライメントがある程度合致すると、赤外光源２１によるプルキンエ像が同時に前眼部エリアセンサ２９に結像し、モニタ上の瞳孔の中央付近に輝点像を生じる。
【００４３】
なお、前眼部照明光源の波長は赤外光源２１の波長と比べ異なる波長の光源を選択する。第１ダイクロイックミラー１５、第３ダイクロイックミラー２６は赤外光源２１の波長を一部透過し一部を反射する特性を備える。これらでは、前眼部照明光源の波長はほとんど透過する。赤外光源２１からの光束は第１ダイクロイックミラー１５で一部が反射されて気流吹付ノズル８を介して被検眼に照射される。被検眼の角膜で反射した光束は気流吹付ノズル８を介して第１ダイクロイックミラー１５で一部が透過して第３ダイクロイックミラー２６に入射する。第３ダイクロイックミラー２６では一部が反射して測定光学系１０に向かうのと併せ一部が透過して結像レンズ２８にて前眼部エリアセンサ２９に結像し、ＸＹスポットとして前眼部画像と同時に輝点像を表示する。測定者はこの輝点像が画面上に重畳表示したアライメント枠内に入るよう、操作ノブ５を操作して架台３もしくは装置本体４を移動してアライメントを行う。
【００４４】
Ｚ方向のアライメントは前記ＸＹスポットのピントが合うように架台３もしくは装置本体４を前後方向に移動する。または公知のＺセンサを有し、このＺセンサの検出結果に基づき画面内に前後方向のアライメント状態を示すマークを重畳表示し、このマークの表示を基に前後方向へのアライメントをしても良い。また、ＸＹスポットの位置及び、Ｚセンサによる前後の位置を検出し、検出した結果から装置本体４を駆動して自動的にアライメントを行い、アライメントの合致が検出されたら、自動的に眼圧の測定を開始してもよい。
【００４５】
次に撮像装置４０について説明する。図３は同眼科装置の撮像装置の配置状態を示す模式図である。撮像装置４０は、測定ヘッド９の下方に配置され、装置本体４と一体として移動する。また、撮像装置４０は、撮影軸Ｏ２を水平面Ｈから所定の角度αだけ斜め上方に向けている。これにより、撮像装置４０で測定ヘッド９の先端と被検眼Ｅの角膜頂点を同時に同一の撮像領域で撮影可能である。なお、撮像装置４０は結像レンズ４１及び撮像素子４２を備える。
【００４６】
なお、図２及び図３において結像レンズ４１は、一枚の凸レンズとして表示してあるが複数のレンズを組みあせて構成することができる。撮像素子４２は、ＣＭＯＳ型撮像素子等で構成される。撮像装置４０は、赤外領域における画像を撮像するものであり、特定波長の赤外光だけを透過する透過フィルタを備える。また、撮像装置４０の両側には、赤外光を射出して測定ヘッド９及び被検眼Ｅを照明する赤外ＬＥＤ４４、４４が配置されている。この赤外ＬＥＤ４４、４４は、上述した赤外光源２１と同一の波長領域の赤外光を放射する。
【００４７】
なお、この実施形態では、撮像の波長を赤外光としているが、必ずしもこれに限らず、撮像素子４２に感度のある波長であれば他の波長、例えば可視光でも構わない。この場合のフィルタは撮像波長の近傍のみを透過する特性を有しているものが望ましい。また、斜め下方から角度をつけて見込むため、結像レンズ４１又は撮像素子４２を傾けたシャインプルーフの配置としてもよい
【００４８】
ここで、撮像装置４０を測定ヘッド９の下方に配置したのは以下の理由による。撮像装置４０は、測定ヘッド９の下方以外にも測定ヘッド９の上方もしくは側方に配置することができる。しかし、撮像装置４０を測定ヘッド９の上方に配置した場合には、睫毛や瞼により角膜の頂点が撮影できないことがある。また、撮像装置４０を測定ヘッド９の側方に配置した場合は被検者の耳側から観察する場合には問題ないが、被験者の鼻側から観察する場合は鼻の影になり観察が困難となる場合がある。また、左右眼とも耳側から観察しようとする場合、両側にカメラを配置する必要があるうえ、測定ヘッド９が横方向に大きくなると、被検者の瞼を測定者が指で開く開瞼動作がしにくくなる。
【００４９】
また、撮像装置４０には、撮影制御部５０が接続され、撮像装置４０で取得された画像は、前眼部エリアセンサ２９で取得された被検眼Ｅの正面からの画像とともにモニタ６に表示される。ここで、画像は、静止画だけではなく動画を含み、モニタ６には、眼球近接部である測定ヘッド９の前端及び被検眼Ｅの画像がリアルタイムで表示される。また、撮像装置４０は、装置本体４に固定されている。このため、測定ヘッド９は、撮像装置４０に対して相対移動しない。よって、撮像装置４０の撮像素子４２において測定ヘッド９は常に同一の位置に結像し、撮像される。
【００５０】
一方、被検眼Ｅは、装置本体４に対して相対的に位置が変動する。このため、撮像素子４２上での結像位置が変動する。本実施形態では、モニタ６に前眼部エリアセンサ２９で取得した被検眼Ｅの画像と撮像装置４０で取得した被検眼Ｅの角膜先端と測定ヘッド９との近接状体を示す画像（近接状態表示画像７２：図４参照）を表示する。
【００５１】
次に実施形態に係るノンコンタクトトノメータＳにおけるモニタでの表示画像について説明する。図４は同眼科装置における表示画像を示すものであり、（ａ）はモニタの表示画面を示す模式図、（ｂ）は角膜と眼球近接部との拡大画像である。
【００５２】
図４（ａ）に示すように、モニタ６には、前眼部エリアセンサ２９で取得された被検眼Ｅを正面から撮像した赤外画像７１とともに、近接状態表示画像７２が表示される。また、本実施形態では、撮影制御部５０は、モニタ６に、被検眼Ｅの前眼部画像である赤外画像７１に併せてアライメント用の指標としてＸＹ方向におけるアライメントの許容範囲を示す矩形のアライメント枠７６を重畳表示する。赤外光源２１の角膜反射像(ＸＹ輝点像)がこのアライメント枠７６内に収まるようアライメントを行う。アライメント枠７６は、アライメントの許容範囲を示しており、赤外光源２１の角膜反射像(プルキンエ像)がアライメント枠７６の内部にあるとき、アライメントズレによる誤差を無視できる精度での測定が可能となる。なお、アライメント枠７６の形状は矩形に限らず、円形等であってもよい。
【００５３】
更に、近接状態表示画像７２には、被検眼Ｅの角膜先端部を示す角膜画像７３と、測定ヘッド９を示す近接部画像７４とが表示される。また、この近接状態表示画像７２には、近接部画像７４を基準位置とした目盛画像７５を重畳して表示する。例えば目盛画像７５中の指標７５ａは、アライメント合致位置から５ｍｍ手前、指標７５ｂはＺアライメントが合致した位置であることを示すものとする。この目盛画像７５により、角膜画像７３と近接部画像７４との距離が一目で把握できる。
【００５４】
ここで、近接状態表示画像７２は測定者の操作により、表示、非表示の切り替えが可能である。非表示が選択された場合、撮像装置４０は機能を停止する。更に、測定者が表示を選択した場合に撮像装置４０は機能を開始し、近接状態表示画像７２を表示とすることができる。また、正規のアライメント信号が得られているとき、撮像装置４０の機能を停止し、近接状態表示画像７２を非表示とし、信号が得られない場合に機能を開始して表示状態とすることができる。
また、モニタ表示する各々の画像はモニタ上の表示位置及び大きさを変更可能とする。
【００５５】
以上のように、本実施形態に係るノンコンタクトトノメータＳによれば、測定者は眼球近接部と被検眼との間隔を視認でき、被検眼と眼科装置との位置関係を容易かつ確実に認識することができる。また、被検眼と眼球近接部とは下方から撮影されるので、被検眼や眼球近接部が睫毛や鼻等に隠されることがなく、確実に撮影される。また、表示手段は装置の測定者側に取付けられているので、測定者は操作中に表示手段を観察することができ、被検眼と眼科装置との位置関係を容易かつ確実に認識することができる。更に、表示部には、被検眼の先端と前記眼球近接部との距離を表す目盛り線が画像に重畳して表示されているので、測定者は、被検眼と眼球近接部との距離を認識できる。
【００５６】
なお、上記実施形態として眼科装置をノンコンタクトトノメータとして説明したが、本発明は、眼球近接部を被検眼Ｅに近接して配置する、レフラクトメータ、ケラトメータ、スペキュラーマイクロスコープ、又はウェーブフロントアナライザに同様に適用できる。また、撮像装置４０の画像は、モニタ６に被検眼Ｅの赤外線画像と共に表示したが、別の表示手段に表示させてもよい
【００５７】
＜第２実施形態＞
次に本発明の第２実施形態に係る眼科装置について説明する。図５は本発明の第２実施形態に係る眼科装置を示す模式図である。本実施形態に係るノンコンタクトトノメータＳＡは、撮像装置４０の撮影軸Ｏ２を偏向する光学素子４５を備え、撮像装置４０を水平に配置するものである。これにより、撮像装置４０を装置本体４内に配置するとき、高さ方向の寸法が小さくなり配置の自由度が高めることができる。なお、他の構成については第１実施形態に係るノンコンタクトトノメータＳと同一とすることができる。なお、上述した光学素子４５はガラスや透明樹脂からなるプリズムで構成することができる。
【００５８】
＜第３実施形態＞
次に本発明の第３実施形態について説明する。図６は本発明の第３実施形態に係る眼科装置を示す模式図、図７は同眼科装置における光学系を示す模式図である。本実施形態に係る眼科装置ＳＢは、ノンコンタクトトノメータ１１０と、このノンコンタクトトノメータ１１０の下方に設けた他の機能を備える眼科装置、例えばケラトレフラクトメータ１２０とを備える複合機である。
【００５９】
本実施形態に係る眼科装置ＳＢでは、ノンコンタクトトノメータ１１０で眼圧測定をするときに使用する撮像装置としてケラトレフラクトメータ１２０の撮影部を使用する。
【００６０】
即ち、ノンコンタクトトノメータ１１０の下方には、ケラトレフラクトメータ１２０が配置され、このケラトレフラクトメータ１２０は、基台１４０に昇降装置１３０を介して配置される。被験者の被検眼Ｅに対してケラトレフラクトメータ１２０を使用して眼屈折力を測定した後、ノンコンタクトトノメータ１１０及びケラトレフラクトメータ１２０を下降させて被検眼Ｅにノンコンタクトトノメータ１１０をアライメントして被検眼Ｅの眼圧等を測定する。なお、測定の順序は適宜変更することができる。
【００６１】
本実施形態において、ケラトレフラクトメータ１２０には、前眼部観察系としての撮像部１２１が備えられている。この撮像部１２１の撮影軸Ｏ３を撮影方向変更手段としての反射鏡１７０で偏向し、撮像部１２１で被検眼Ｅの角膜先端及びノンコンタクトトノメータ１１０の測定ヘッド９を撮影して第１実施形態と同様にモニタに表示する。
【００６２】
そして、反射鏡１７０には、回動するアーム１６０を配置し、ケラトレフラクトメータ１２０の使用時には、反射鏡１７０が撮像部１２１の撮影軸Ｏ３から退避し、撮像部１２１で被検眼Ｅを正対して撮影できるものとする。この例では、アーム１６０が支持部１５０に接触することで、ノンコンタクトトノメータ１１０及びケラトレフラクトメータ１２０の昇降時に回動して、反射鏡１７０が所定の位置になるものとしている。
【００６３】
なお、ノンコンタクトトノメータ１１０の下側に配置する装置は、ケラトレフラクトメータに限らず、他の機能を備える眼科装置とすることができる。
【００６４】
本実施形態によれば、ノンコンタクトトノメータと他の機能を備える眼科装置とを備える複合型の眼科装置において、測定者が被検眼と眼科装置との位置関係を容易かつ確実に認識することができ、しかも別途撮像装置を増加させる必要がない。
【符号の説明】
【００６５】
１：支持部
２：装置ベース
３：架台
４：装置本体
５：操作ノブ
５ａ：操作ボタン
６：モニタ
８：気流吹付ノズル
９：測定ヘッド
１０：測定光学系
１１：空気チャンバー
１２：前眼部窓ガラス
１３、１４：チャンバーガラス
１５：第１ダイクロイックミラー
１６：結像レンズ
１７：圧平センサ
２０：赤外光投影系
２１：赤外光源
２２：絞り
２４：第２ダイクロイックミラー
２５：コリメータレンズ
２６：ダイクロイックミラー
２７：前眼部撮影系
２８：結像レンズ
２９：前眼部エリアセンサ
３０：固視光学系
３１：固視光源
３２：絞り
４０：撮像装置
４１：結像レンズ
４２：撮像素子
４４、４４：赤外ＬＥＤ
４５：三角プリズム
５０：撮影制御部
７１：前眼部画像
７２：近接状態表示画像
７３：角膜画像
７４：近接部画像
７５：目盛画像
７５ａ：指標
７５ｂ：指標
７６：アライメント指標
１１０：ノンコンタクトトノメータ
１２０：ケラトレフラクトメータ
１２１：撮像部
１３０：昇降装置
１４０：基台
１５０：支持部
１６０：アーム
１７０：反射鏡
【図１】
2018038518.tif 000003
【図２】
2018038518.tif 000004
【図３】
2018038518.tif 000005
【図４】
2018038518.tif 000006
【図５】
2018038518.tif 000007
【図６】
2018038518.tif 000008